(57)【要約】【課題】耳孔内を傷つけること無く、鼓膜を破損する等不慮の事態を生ずることなく極めて安全に、しかも迅速かつ容易に耳あかを除去することのできる耳あか自動吸引器を提供すること。【解決手段】先端部を耳内部に位置せしめ吸気手段により耳あかを自動的に吸引除去する筒状の耳あか吸い取り部を備えてなる耳あか自動吸引器。【選択図】図２
0003150120.tif 000002
【実用新案登録請求の範囲】
【請求項１】
先端部を耳内部に位置せしめ吸気手段により耳あかを自動的に吸引除去する筒状の耳あか吸い取り部を備えてなることを特徴とする耳あか自動吸引器。
【請求項２】
筒状の耳あか吸い取り部の外周には耳内部への過度の挿入を防止するためのリング状ストッパーを有することを特徴とする請求項１記載の耳あか自動吸引機。
【請求項３】
筒状の耳あか吸い取り部は、耳内部を傷つけることのない軟質材より形成されていることを特徴とする請求項１または２記載の耳あか自動吸引器。
【請求項４】
筒状の耳あか吸い取り部の基端部方向には、該耳あか吸い取り部に対しほぼ９０度に曲折してなる握持部を形成したことを特徴とする請求項１乃至請求項３のいずれかに記載の耳あか自動吸引機。
【請求項５】
筒状の耳あか吸い取り部の基端部にはモーターとファンからなる吸気手段を内蔵した筒体を前記筒状の耳あか吸い取り部と通気状態にて連設したことを特徴とする請求項１乃至請求項４のいずれかに記載の耳あか自動吸引機。
【請求項６】
筒状の耳あか吸い取り部は吸気手段を内蔵した筒体に対し取り付け取り外し自在に形成するとともに基部には耳あか収納部を形成したことを特徴とする請求項１乃至請求項５のいずれかに記載の記載の耳あか自動吸引器。
【請求項７】
筒状の耳あか吸い取り部の基部にはフィルターを配置したことを特徴とする請求項１乃至請求項６のいずれかに記載の耳あか自動吸引機。
【請求項８】
握持部は先端部に吸気手段を内蔵した筒体を接続するとともに内部にモーター駆動源となる電池を収納し、外周にはスイッチを取り付け形成したことを特徴とする請求項１乃至請求項７のいずれかに記載の耳あか自動吸引器。
【考案の詳細な説明】
【技術分野】
【０００１】
本考案は、耳かき棒、綿棒、スクリューの耳かき等、使用者がこれ等器具を耳内に挿入した後、耳あかをかき出すあるいは剥離する形態のものと異なり、極めて安全かつ容易に耳あかを除去することのできる耳あか自動吸引器に関する。
【背景技術】
【０００２】
従来、耳あかを除去する器具としては、みみかき棒あるいは綿棒、スクリューの耳かき等が知られている。
これら器具は何れも耳内に挿入し、耳内部に付着する耳あかを直接かき出す、あるいは剥離除去するものである。
その手法にあっては本人若しくは依頼されたものが耳内にこれ等器具を挿入し、感に頼りながら、耳あかを除去するものである。
【特許文献１】特開平１０−１９２１８７号公報
【考案の開示】
【考案が解決しようとする課題】
【０００３】
しかしながら、従来のこの種の器具は、極めて少狭でしかも傷つきやすく、かつ暗く見えにくい耳孔内に挿入した後、耳あか付着部に当接せしめ、感に頼りながらかきだし、剥離する作業を余儀なくされることから、耳孔を傷つけたり、あるいは深く挿入し過ぎ鼓膜を傷つけ破損する等、不慮の事故を生ずることも多々ある。
【０００４】
本考案にあっては耳孔内を傷つけること無く、鼓膜を破損する等不慮の事態を生ずることなく極めて安全に、しかも迅速かつ容易に耳あかを除去することのできる耳あか自動吸引器を提供することを目的とするものである。
【課題を解決するための手段】
【０００５】
上記課題を解決するため、本考案は先端部を耳内部に位置せしめ吸気手段により耳あかを自動的に吸引除去する筒状の耳あか吸い取り部を備えてなる。
【０００６】
また、筒状の耳あか吸い取り部の外周には耳内部への過度の挿入を防止するためのリング状ストッパーを有することを特徴とする。
【０００７】
また、筒状の耳あか吸い取り部は、耳内部を傷つけることのない軟質材より形成されていることを特徴とする。
【０００８】
また、筒状の耳あか吸い取り部の基端部方向には、該耳あか吸い取り部に対しほぼ９０度に曲折してなる握持部形成したことを特徴とする。
【０００９】
また、筒状の耳あか吸い取り部の基端部にはモーターとファンからなる吸気手段を内蔵した筒体を前記筒状の耳あか吸引取り部と通気状態にて連設したことを特徴とする。
【００１０】
また、筒状の耳あか吸い取り部は吸気手段を内蔵した筒体に対し取り付け取り外し自在に形成するとともに基部には耳あか収納部を形成したことを特徴とする。
【００１１】
また筒状の耳あか吸い取り部の基部にはフィルターを配置したことを特徴とする。
【００１２】
また、握持部は先端部に吸気手段を内蔵した筒体を接続するとともに内部にモーター駆動源となる電池を収納し、外周にはスイッチを取り付け形成したことを特徴とする。
【考案の効果】
【００１３】
上記課題を解決するため、本考案は先端部を耳内部に位置せしめ吸気手段により耳あかを自動的に吸引除去する筒状の耳あか吸い取り部を備えてなることから、耳孔内を傷つけることなく、耳あかを安全性高く、迅速かつ容易に除去することができる。
【００１４】
また、筒状の耳あか吸い取り部の外周には耳内部への過度の挿入を防止するためのリング状ストッパーを有することを特徴とすることから、深く挿入しすぎ鼓膜を傷つけたりするおそれはない。
【００１５】
また、筒状の耳あか吸い取り部は、耳内部を傷つけることのない軟質材より形成されていることを特徴とすることから、傷つきやすい耳孔内壁に当接したとしても、これを傷つけたりすることはない。
【００１６】
また、筒状の耳あか吸い取り部の基端部方向には、該耳あか吸い取り部に対しほぼ９０度に曲折してなる握持部形成したことを特徴とすることから、使用者は好適な角度で筒状の耳あか吸い取り部を耳内に挿入することができ、極めて操作しやすく、ひいては耳内部を傷つけたりすることなく、安全性を高めることともなる。
【００１７】
また、筒状の耳あか吸い取り部の基端部にはモーターとファンからなる吸気手段を内蔵した筒体を前記筒状の耳あか吸引取り部と通気状態にて連設したことを特徴とするとしたことから、好適な耳あか吸気機能を発揮することができる。
【００１８】
また、筒状の耳あか吸い取り部は吸気手段を内蔵した筒体に対し取り付け取り外し自在に形成するとともに基部には耳あか収納部を形成したことを特徴とするとしたことから、吸引除去された耳あかは、迅速かつ容易に廃棄することができるとともに耳あか自動吸引器自体が常時衛生的な状態を維持することができる。
【００１９】
筒状の耳あか吸い取り部基部にはフィルターを配置したことから吸気室には耳あかが入りこむことなく好適な吸気効果を発揮することができる。
【００２０】
また、握持部は先端部に吸気手段を内蔵した筒体を接続するとともに内部にモーター駆動源となる電池を収納し、外周にはスイッチを取り付け形成したことを特徴とするとしたことから、常時機能的な耳あかの吸着除去作業を行うことができる。
【考案を実施するための最良の形態】
【００２１】
図１は本考案の耳あか自動吸引器の使用状態を示すものであり、１は耳あか自動吸引器本体であり、筒状の耳あか吸い取り部２とこの耳あか吸い取り部の基部方向に形成された使用者が握持する握持部３から成る。この握持部３は９０°に曲折形成され、耳あか吸い取り部先端を好適な位置にて耳４の耳孔内に位置させるために、耳あか自動吸引器本体を手指にて握持するためのものである。
【００２２】
５は耳あか自動吸引器本体１の先端部に取付けられたリング状のストッパーであり、耳あか自動吸引器の先端が耳孔内に入りこみ過ぎ耳孔内を傷つけたり、鼓膜を傷つけ破損してしまうことを防止するために外周径は耳孔内に耳あか自動吸引器先端が入りこまない周径に形成され、ストッパー機能を発揮する。
【００２３】
図２は本考案の耳あか自動吸引器１の内部構造を示すものであり、筒状の耳あか吸い取り部２は耳内部を傷つけることのない軟質材より構成されている。この耳あか吸い取り部２はモーター６とファン７からなる吸気手段を備えた吸気室８に連通しておりモーター６によるファンの回転で吸気効果を発揮し、耳孔内の耳あかを耳あか吸い取り部２先端部で自動吸引する。
【００２４】
９は耳あか吸納部であり耳あか吸い取り部基部に形成されるとともにその基部にはフィルター１０を配置し耳あかが吸気室に入りこむことを防止している。また耳あか吸い取り部３は吸気室８を構成する筒体８ａと螺合等の方法で取付け取外し自在に形成されている。１１は吸気室８のモーター６後段に形成された排気部である。
【００２５】
１２はモーター６を駆動する電池であり、握持部３内に吸納されている。１３は同じく握持部３に形成されたスイッチである。
【００２６】
尚、耳あか自動吸引器本体１のファン７の回転を逆回転させて耳４の耳孔内に送風する構成を付加してもよい。
【図面の簡単な説明】
【００２７】
【図１】本願考案の実施の状態を示す正面図。
【図２】本願考案の耳あか自動吸引器の内部構造を示す断面図。
【符号の説明】
【００２８】
１  耳あか自動吸引器本体
２  耳あか吸い取り部
３  握持部
４  耳
５  ストッパー
６  モーター
７  ファン
８  吸気室
８ａ  筒体
９  耳あか吸納部
１０  フィルター
１１  排気部
１２  電池
１３  スイッチ
【図１】
0003150120.tif 000003
【図２】
0003150120.tif 000004